(57)【要約】【課題】筒状編地を前側から見たときと、後側から見たときと、で編目の向きが異なる新規な編目組織を有する筒状編地の編成方法。【解決手段】第一筒部１１のウエール方向終端部１１ｅに繋がる編地片１２１からなる筒状に形成された第二筒部１２を編成する。第一筒部１１のウエール方向終端部１１ｅを偶数個の分割編目列１，２に分け、２ｎ−１番目の分割編目列１のウエール方向に連続して、編地片１２１となる複数段の新規編目列１２ｓを編成する。その際、新規編目列１２ｓを少なくとも一段分編成するごとに、条件Ｉを満たす編目と、条件ＩＩを満たす編目と、を重ね合わせて接続する。［条件Ｉ］新規編目列１２ｓの編目のうち、２ｎ番目の分割編目列２に対して周回方向に近接する編目。［条件ＩＩ］２ｎ番目の分割編目列２の編目のうち、新規編目列１２ｓに対して周回方向に近接する編目。【選択図】図２
2014114513.tif 000002
【特許請求の範囲】
【請求項１】
前後に対向する前針床と後針床とを備え、前記前針床と前記後針床との間で編目の目移しが可能な横編機を用いて筒状編地を編成する筒状編地の編成方法において、
筒状編地の使用時に前側に配される前側部分と、後側に配される後側部分と、からなる第一筒部を編成する工程αと、
前記第一筒部のウエール方向終端部に繋がる単数あるいは複数の編地片からなる筒状に形成された第二筒部を編成する工程βと、を備え、
前記工程βでは、
前記工程αで編成した前記第一筒部のウエール方向終端部を構成する複数の編目を周回方向に並ぶ偶数個の分割編目列に分け、前記周回方向に各分割編目列に順次番号を付したとき、
２ｎ−１番目の分割編目列のウエール方向に連続して、前記編地片となる複数段の新規編目列を編成し、
その編成の際、前記新規編目列を少なくとも一段分編成するごとに、下記条件Ｉを満たす編目と、下記条件ＩＩを満たす編目と、を重ね合わせて接続することで、前記編地片が前記前側部分に連続する場合は、前記編地片の一部が前記前側部分から前記後側部分に向かって折り返された状態とし、前記編地片が前記後側部分に連続する場合は、前記編地片の一部が前記後側部分から前記前側部分に向かって折り返された状態とすることを特徴とする筒状編地の編成方法。
［条件Ｉ］２ｎ−１番目の分割編目列に続く新規編目列の編目のうち、２ｎ番目の分割編目列に対して周回方向に近接する編目。
［条件ＩＩ］２ｎ番目の分割編目列の編目のうち、２ｎ−１番目の分割編目列に続く新規編目列に対して周回方向に近接する編目。
【請求項２】
前記工程βの前に、２ｎ−１番目の分割編目列が前記前針床と前記後針床に跨がって係止された状態となるように、前記第一筒部のウエール方向終端部全体を、前記周回方向時計回りまたは反時計回りに回し込むことを特徴とする請求項１に記載の筒状編地の編成方法。
【請求項３】
前記工程βにおいて、前記新規編目列と、２ｎ番目の分割編目列と、を重ね合わせて接続する際、
一方の針床に係止される編目列の一端側を他方の針床に回し込み、
他方の針床に係止される編目列の他端側を一方の針床に回し込むことを特徴とする請求項１に記載の筒状編地の編成方法。
【請求項４】
前記工程βにおいて、前記新規編目列と、２ｎ番目の分割編目列と、を接続する際、
一方の針床に係止される編目列の一端側および他端側を、他方の針床に回し込むことを特徴とする請求項１に記載の筒状編地の編成方法。
【請求項５】
少なくとも前後一対の針床を備え、前後の針床間で編目の目移しが可能な横編機を用いて編成された筒状編地において、
筒状編地の使用時に前側に配される前側部分と、後側に配される後側部分と、からなる第一筒部と、
前記第一筒部のウエール方向に繋がる単数あるいは複数の編地片からなり、全体形状が概略筒状に形成された第二筒部と、を備え、
前記編地片のウエール方向始端部が前記第一筒部のウエール方向終端部に繋がると共に、前記編地片の編幅方向の少なくとも一方の端部近傍が前記第一筒部のウエール方向終端部に繋がり、前記編地片におけるウエール方向終端部寄りの一部が折り返された状態となることで、前記第二筒部が筒状に成形されており、
前記第二筒部１２における折り返された部分の編目の向きと、折り返されていない部分の編目の向きと、が互いに交差していることを特徴とする筒状編地。
【発明の詳細な説明】
【技術分野】
【０００１】
本発明は、筒状編地の編成方法、およびその筒状編地の編成方法によって編成された筒状編地に関する。
【背景技術】
【０００２】
例えば、特許文献１には、セーターやカーディガン、手袋などの筒状編地を横編機によって編成する技術が開示されている。また、特許文献１には、筒状編地の編成に用いられる技術として、回し込みと呼ばれる技術が開示されている。
【先行技術文献】
【特許文献】
【０００３】
【特許文献１】特許第４２１５７１９号公報
【発明の概要】
【発明が解決しようとする課題】
【０００４】
近年では、消費者のニーズの多様化に伴い、今までにない新規な編目組織を有する筒状編地を開発することが望まれている。ここで、横編機を用いた筒状編地の編成は、基本となる編成動作の組み合わせで成り立っており、この編成動作の組み合わせはほぼ無限であるといって良く、まだまだ新規な筒状編地の開発の余地がある。例えば、前側から見たときと、後側から見たときと、で編目の向きが異なる部分を有する筒状編地を編成できれば、筒状編地のデザインを多様化させることができる。
【０００５】
本発明は上記事情に鑑みてなされたもので、その目的の一つは、前側から見たときと、後側から見たときと、で編目の向きが異なる新規な編目組織を有する筒状編地を編成するための筒状編地の編成方法、およびその筒状編地の編成方法により得られた筒状編地を提供することにある。
【課題を解決するための手段】
【０００６】
本発明の筒状編地の編成方法は、前後に対向する前針床と後針床とを備え、前針床と後針床との間で編目の目移しが可能な横編機を用いて筒状編地を編成する筒状編地の編成方法であり、次の工程α，βを備える。
［工程α］…筒状編地の使用時に前側に配される前側部分と、後側に配される後側部分と、からなる第一筒部を編成する。
［工程β］…第一筒部のウエール方向終端部に繋がる単数あるいは複数の編地片からなる筒状に形成された第二筒部を編成する。
ここで、上記工程βでは、工程αで編成した第一筒部のウエール方向終端部を構成する複数の編目を周回方向に並ぶ偶数個の分割編目列に分け、周回方向に各分割編目列に順次番号を付したとき、２ｎ−１番目（ｎは１以上の自然数）の分割編目列のウエール方向に連続して、編地片となる複数段の新規編目列を編成する。そして、その編成の際、新規編目列を少なくとも一段分編成するごとに、下記条件Ｉを満たす編目と、下記条件ＩＩを満たす編目と、を重ね合わせて接続する。そうすることで、編地片が第一筒部の前側部分に連続する場合は、編地片の一部が前側部分から第一筒部の後側部分に向かって折り返された状態とし、編地片が後側部分に連続する場合は、編地片の一部が後側部分から前側部分に向かって折り返された状態とする。
［条件Ｉ］２ｎ−１番目（奇数番目）の分割編目列に続く新規編目列の編目のうち、２ｎ番目（偶数番目）の分割編目列に対して周回方向に近接する編目。
［条件ＩＩ］２ｎ番目の分割編目列の編目のうち、２ｎ−１番目の分割編目列に続く新規編目列に対して周回方向に近接する編目。
【０００７】
上記工程βにおけるウエール方向終端部の分割数は、偶数であれば特に限定されない。例えば、ウエール方向終端部の分割数を二つあるいは四つとすることが挙げられる。分割数を二つとすれば、工程βで編成する編地片は一つ、分割数を四つとすれば、工程βで編成する編地片は二つとなる。つまり、第二筒部を構成する編地片の数は、ウエール方向終端部の分割数の半分である。
【０００８】
また、第一筒部のウエール方向終端部を分割するにあたり、奇数番目の分割編目列と偶数番目の分割編目列とがそれぞれ、第一筒部の前側部分と後側部分とに分かれて配置されることが好ましい。例えば、前身頃と後身頃とを備えるセーターを編成する第一実施形態では、第一筒部における後身頃となる部分のウエール方向終端部を一番目の分割編目列とし、第一筒部における前身頃となる部分のウエール方向終端部を二番目の分割編目列としている。
【０００９】
ここで、ウエール方向終端部の分割数を二つとする場合、上記工程βを次のように読み替えることができる。
『工程αで編成した第一筒部のウエール方向終端部を構成する複数の編目を、周回方向に並ぶ第一分割編目列と第二分割編目列とにわけたとき、第一分割編目列のウエール方向に連続して、編地片となる複数段の新規編目列を編成する。その編成の際、新規編目列を少なくとも一段分編成するごとに、以下の［操作１］および［操作２］の少なくとも一方を行なう。
［操作１］新規編目列における周回方向時計回り側の端部近傍の編目と、第二分割編目列における周回方向反時計回り側の端部近傍の編目と、を接続する。
［操作２］新規編目列における周回方向反時計回り側の端部近傍の編目と、第二分割編目列における周回方向時計回り側の端部近傍の編目と、を接続する。』
【００１０】
なお、後述する第一実施形態は、上記［操作１］および［操作２］を両方行なった編成例であり、変形実施形態は、上記［操作１］のみを行なった編成例である。
【００１１】
本発明の筒状編地の編成方法として、工程βの前に、２ｎ−１番目の分割編目列が前針床と後針床に跨がって係止された状態となるように、第一筒部のウエール方向終端部全体を周回方向時計回りまたは反時計回りに回し込む形態を挙げることができる。この形態の具体例は、第一実施形態の第二の編成手順に示す。
【００１２】
本発明の筒状編地の編成方法として、工程βにおいて、新規編目列と２ｎ番目の分割編目列とを接続する際、一方の針床に係止される編目列の一端側を他方の針床に回し込み、他方の針床に係止される編目列の他端側を一方の針床に回し込む形態を挙げることができる。この形態の具体例は、第一実施形態の第一の編成手順に示す。
【００１３】
本発明の筒状編地の編成方法として、工程βにおいて、新規編目列と２ｎ番目の分割編目列とを接続する際、一方の針床に係止される編目列の一端側および他端側を、他方の針床に回し込む形態を挙げることができる。この形態の具体例は、第一実施形態の第三の編成手順に示す。
【００１４】
本発明の筒状編地は、少なくとも前後一対の針床を備え、前後の針床間で編目の目移しが可能な横編機を用いて編成された筒状編地であって、第一筒部と第二筒部とを備える。第一筒部は、筒状編地の使用時に前側に配される前側部分と、後側に配される後側部分と、からなる。第二筒部は、第一筒部のウエール方向に繋がる単数あるいは複数の編地片からなり、全体形状が概略筒状に形成されている。これら第一筒部と第二筒部とを備える本発明の筒状編地では、第二筒部を構成する編地片のウエール方向始端部が第一筒部のウエール方向終端部に繋がると共に、その編地片の編幅方向の少なくとも一方の端部近傍が前記第一筒部のウエール方向終端部に繋がり、当該編地片におけるウエール方向終端部寄りの一部が折り返された状態となることで、第二筒部が筒状になっている。そして、第二筒部における折り返された部分の編目の向きと、折り返されていない部分の編目の向きと、が互いに交差している。
【発明の効果】
【００１５】
本発明の筒状編地の編成方法によれば、本発明の筒状編地を編成することができる。例えば、図１を参照する第一実施形態に示すように、本発明の筒状編地（セーター１００）では、第二筒部１２を構成する編地片１２１のウエール方向始端部１２ｄ（図１（Ｂ）参照）が、第一筒部１１のウエール方向終端部１１ｅに繋がっているが、当該編地片１２１のウエール方向終端部１２ｅは、第一筒部１１のウエール方向終端部１１ｅ（図１（Ａ）参照）に繋がらず、第一筒部１１のウエール方向終端部１１ｅに直交する方向に向く。そのため、編地片１２１のウエール方向始端部１２ｄが配置される部分の近傍では、編地片１２１（第二筒部１２）の編目と、第一筒部１１の編目と、が同じ方向を向き、編地片１２１のウエール方向終端部１２ｅが配置される部分の近傍では、編地片１２１（第二筒部１２）の編目と、第一筒部１１の編目と、が互いにほぼ直交する方向に向く。このような新規な編目組織を有する本発明の筒状編地は、筒状編地のデザインの幅を拡げるものである。
【図面の簡単な説明】
【００１６】
【図１】（Ａ）は第一実施形態に示すセーターの前面概略図、（Ｂ）はそのセーターの後面概略図である。
【図２】（Ａ）〜（Ｃ）は、第一実施形態のセーターの全体的な編成手順を示すイメージ図である。
【図３】（Ａ）〜（Ｄ）は、セーターに備わる編地片を編成するための第一の編成手順を示すイメージ図である。
【図４】編地片の簡単な編成工程図である。
【図５】（Ａ）〜（Ｃ）は、セーターに備わる編地片を編成するための第二の編成手順を示すイメージ図である。
【図６】（Ａ）〜（Ｄ）は、セーターに備わる編地片を編成するための第三の編成手順を示すイメージ図である。
【図７】変形実施形態に示すカーディガンの前面概略図である。
【図８】（Ａ）は第三実施形態のセーターの全体的な編成手順を示すイメージ図、（Ｂ）はそのセーターの前側概略図、（Ｃ）はそのセーターの後側概略図である。
【発明を実施するための形態】
【００１７】
以下の実施形態では、左右方向に延び、かつ前後方向に互いに対向する一対の針床を備え、前後の針床間で編目の目移しが可能な２枚ベッド横編機を用いた編成例を説明する。もちろん、使用する横編機は２枚ベッド横編機に限定されるわけではなく、例えば４枚ベッド横編機であっても良い。
【００１８】
＜第一実施形態＞
≪セーター≫
図１（Ａ）は、身頃と右袖と左袖とを備える本実施形態のセーター１００（筒状編地）の前面概略図、図１（Ｂ）は、図１（Ａ）のセーター１００の後面概略図である。この図１（Ａ），（Ｂ）では、編幅方向のおおよそのラインを細線で示す。つまり、細線が引かれた部分における編目は、丸囲み拡大図に示すようにラインに直交する方向を向いている。
【００１９】
図１（Ａ），（Ｂ）に示すセーター１００は、脇の下の位置よりも若干上方側に位置する境界部１３を境にして第一筒部１１と第二筒部１２とに分けることができる。ここで、図１（Ａ）に示すように、セーター１００の前身頃側では、第一筒部１１の編目の向きと、第二筒部１２の編目の向きと、が境界部１３を境にしてほぼ直交しており、境界部１３を目視にて確認できる繋ぎ目が形成される。一方、図１（Ｂ）に示すように、セーター１００の後側では、第一筒部１１の編目の向きと、第二筒部１２の編目の向きと、が揃っており、境界部１３に目視にて繋ぎ目を確認することはできない。
【００２０】
上記第一筒部１１は、身頃の下部と、両袖の袖口側の一部と、を繋げることで形成された筒状体である。境界部１３の位置には、第一筒部１１のウエール方向終端部１１ｅが配置され、そのウエール方向終端部１１ｅは一つの大きな筒状となっている。
【００２１】
一方、第二筒部１２は、第一筒部１１のウエール方向終端部１１ｅのウエール方向に連続して編成される編地片１２１からなる。その編地片１２１の全体形状が概略筒状に形成されることで、第二筒部１２の全体形状も概略筒状に形成される。上記編地片１２１の全体形状が概略筒状に形成されるのは、編地片１２１のウエール方向始端部１２ｄが、図１（Ｂ）に示すように第一筒部１１のウエール方向終端部１１ｅの後身頃側の部分（後側部分）に繋がり、かつ編地片１２１の編幅方向の両端部が、図１（Ａ）に示すように第一筒部１１のウエール方向終端部１１ｅの前身頃側の部分（前側部分）に繋がるからである。このような接続関係となっていることで、編地片１２１の編幅方向の両端部側の部分で、かつウエール方向終端部１２ｅ寄りの部分がセーター１００の後身頃側から前身頃側に折り返された状態となり、編地片１２１の全体形状が概略筒状に形成される。言い換えれば、第二筒部１２は、ちょうどショールを羽織ってショールの両端を前身頃側で合わせたような状態となる。
【００２２】
さらに、編地片１２１のウエール方向終端部１２ｅのうち、編幅方向の一端側と他端側とは、図１（Ａ）に示すように、セーター１００の前身頃側で伏目して閉じ合わされている（図中の閉じ部１４を参照）。編地片１２１のウエール方向終端部１２ｅのうち、閉じ部１４以外の部分は、セーター１００のネックホールとなる開口部１５となる。
【００２３】
以上説明した本実施形態のセーター１００は、前身頃側から見たときの雰囲気と、後身頃側から見たときの雰囲気と、が全く異なるセーター１００となる。それは、前身頃側の第二筒部１２の編目の向きと、後身頃側の第二筒部１２の編目の向きと、がほぼ直交するからである。前後の雰囲気の相違は、第二筒部１２に組織柄や色柄などを形成した場合に顕著となる。
【００２４】
上記セーター１００は、図２の編成イメージ図に示す手順で編成することができる。なお、図２の編成イメージ図は、あくまで編成の概略的な手順を示すものであり、針床の図示は省略する。後述するイメージ図においても針床の図示を省略する。
【００２５】
まず、図２（Ａ）に示すように、第一筒部１１を編成する（工程α相当）。第一筒部１１は、身頃と右袖と左袖をそれぞれ別個に編成し、それら身頃と両袖とを接続して一つの大きな筒状にすることで編成する。身頃と両袖との接続には公知の接続方法を利用することができる。
【００２６】
次に、図２（Ａ）に示すように、第一筒部１１のウエール方向終端部１１ｅを周回方向に並ぶ偶数個の分割編目列１，２に分け、周回方向に各分割編目列に順次番号を付す。本実施形態においてはウエール方向終端部１１ｅを後身頃側の部分と前身頃側の部分の２つに分け、後身頃側の部分を第一分割編目列１、前身頃側の部分を第二分割編目列２とした。第一分割編目列１は、２ｎ−１（ｎ＝１）番目の分割編目列であり、第二分割編目列２は、２ｎ（ｎ＝１）番目の分割編目列である。なお、図面において、分割編目列１，２の境界位置を白抜き矢印で示す。
【００２７】
ウエール方向終端部１１ｅの分割状態が決定したら、図２（Ｂ）に示すように第一分割編目列１のウエール方向に連続して、編地片１２１となる複数段の新規編目列１２ｓを編成する（新規編目列１２ｓの一部のみ図示する）。そして、その編成の際、新規編目列を少なくとも一段分（好ましくは一段〜三段）編成するごとに、以下に示す［操作１］および［操作２］を行なう。
［操作１］
下記条件Ａを満たす編目と、下記条件Ｂを満たす編目と、を接続する
「条件Ａ」第一分割編目列１に続く新規編目列１２ｓの編目のうち、周回方向時計回り側の端部近傍の編目（紙面右側の白抜き矢印の近傍の編目）。
「条件Ｂ」第二分割編目列２の編目のうち、周回方向反時計回り側の端部近傍の編目（紙面右側の白抜き矢印の近傍の編目）。
［操作２］
下記条件Ｃを満たす編目と、下記条件Ｄを満たす編目と、を接続する。
「条件Ｃ」第一分割編目列１に続く新規編目列１２ｓの編目のうち、周回方向反時計回り側の端部近傍の編目（紙面左側の白抜き矢印の近傍の編目）。
「条件Ｄ」第二分割編目列２の編目のうち、周回方向時計回り側の端部近傍の編目（紙面左側の白抜き矢印の近傍の編目）。
なお、図２において、上記条件Ａ〜Ｄに対応する位置を、四角で囲った『Ａ』〜『Ｄ』で示す。また、上記条件に示す端部近傍の編目とは、端部の編目を含む１〜５目程度の編目のことである。
【００２８】
上記［１］，［２］を行なうことで、図２（Ｂ）の黒矢印に示すように、編地片１２１の編幅方向の両端部が、第一筒部１１のウエール方向終端部１１ｅのうちの第二分割編目列２に繋がる。その結果、編地片１２１の編幅方向の両端部側の部分で、かつ編地片１２１のウエール方向終端部１２ｅ寄りの部分が、前身頃側に折り返され、図２（Ｃ）に示すように、編地片１２１が第一筒部１１に筒状に接続される。
【００２９】
第二筒部１２の編成が終了したら、図２（Ｃ）に示すように、第二筒部１２のウエール方向終端部１２ｅの編目のうち、周回方向時計回り側の部分と、周回方向反時計回り側の部分と、を接続する。その結果、図１（Ａ）に示すセーター１００の閉じ部１４と開口部１５とが形成される。
【００３０】
ここで、編地片１２１の編成と、その編地片１２１を第一筒部１１に接続する手順には、大きく分けて３つの手順が存在する。各編成手順をそれぞれ、図３，５，６のイメージ図を参照して説明する。
【００３１】
≪第一の編成手順≫
図３（Ａ）のイメージ図には、図２（Ａ）と同様に第一筒部１１を編成し、第一筒部１１のウエール方向終端部１１ｅを二つの分割編目列１，２に分けた状態が示されている。第一分割編目列１は後針床、第二分割編目列２は前針床に係止されている。ここで、図３のイメージ図に従う編成を行なう際、針床における編目がどのような係止状態となっているかを図４の編成工程図に示す。図３を用いた説明の際、適宜この図４を参照する。なお、図４の『Ｓ＋数字』は編成工程の番号を、○は針床に係止される編目を、●は各編成工程で編成される新規編目を、『ＦＢ』は前針床を、『ＢＢ』は後針床を、『Ａ〜Ｆ』は編針の位置を示す。
【００３２】
図３（Ａ）の状態から、編地片１２１となる新規編目列１２ｓを少なくとも一段分編成する（図３（Ｂ），図４のＳ１参照）。次いで、図３（Ｂ）で編成した新規編目列１２ｓのうち、周回方向時計回り側の端部近傍（紙面右側の白抜き矢印の近傍）の編目を、周回方向時計回りに回し込むと共に、第二分割編目列２のうち、周回方向時計回り側の端部近傍（紙面左側の白抜き矢印の近傍）の編目を、周回方向時計回りに回し込む。即ち、後針床に係止される編目列の紙面右側を前針床に回し込み、前針床に係止される編目列の紙面左側を後針床に回し込む。そして、この回し込みに伴い、編地片１２１の編幅方向両端部（周回方向時計回り端部および周回方向反時計回り端部）の編目と、第二分割編目列２の編目と、を重ね合わせる（図３（Ｃ），図４のＳ２参照）。
【００３３】
図３（Ｃ）の操作が終了したら、図３（Ｄ）に示すように、第一分割編目列１と、第二分割編目列２と、の周回方向時計回り側の境界が、前針床側に配置された状態になる（紙面右側の白抜き矢印参照）。以降は、新規編目列１２ｓの編成、および新規編目列１２ｓと第二分割編目列２との接続を繰り返せば良い（図４のＳ３〜Ｓ５参照）。そうすることで、図３（Ｃ）で形成した重ね目が固定され、新規編目列１２ｓと第二分割編目列２とが接続される。
【００３４】
上述した第一の編成手順では、新規編目列１２ｓと第二分割編目列２とを接続するための回し込みを、新規編目列１２ｓを１〜３段分編成するごとに行なうため、回し込みに伴う糸切れが生じ難い。同じ編目を多数回、目移しすることがないからである。
【００３５】
なお、回し込む方向は、周回方向反時計回りでも構わない。また、回し込まれる編目は予め捻じっておくことが好ましい。さらに、編地片１２１を構成する新規編目列１２ｓの編幅は部分的に異なっていても良い。例えば、徐々に新規編目列１２ｓの編幅を広くしたり、狭くしたり、あるいは広くしてから狭くしたり、狭くしてから広くしても構わない。
【００３６】
≪第二の編成手順≫
図５（Ａ）の第一筒部１１の係止状態は、図３（Ａ）と同様である。この状態から、第二の編成手順では、図５（Ｂ）に示すように、ウエール方向終端部１１ｅ全体を周回方向時計回りに回し込み、第一分割編目列１が前針床と後針床に跨がって係止された状態とする。その際、前針床に係止される編目数と、後針床に係止される編目数と、を同じにすることが好ましい。
【００３７】
次いで、図５（Ｃ）に示すように、編地片１２１となる新規編目列１２ｓを少なくとも一段分編成する。そして、その編成した新規編目列１２ｓを、第二分割編目列２の側に移動させ、新規編目列１２ｓの編目と、第二分割編目列２の編目と、を重ね合わせる。以降は、新規編目列１２ｓの編成、および新規編目列１２ｓと第二分割編目列２との接続を繰り返せば良い。
【００３８】
上述した第二の編成手順では、編地片１２１となる新規編目列１２ｓを回し込む操作がないため、編地片１２１に組織柄を容易に形成することができる。回し込みによって組織柄が変化することを考慮しなくて良いからである。
【００３９】
≪第三の編成手順≫
図６（Ａ）の第一筒部１１の係止状態は、図３（Ａ）と同様である。この状態から、第三の編成手順では、図６（Ｂ）に示すように、編地片１２１となる新規編目列１２ｓを少なくとも一段分編成する。次いで、図６（Ｃ）に示すように、新規編目列１２ｓの周回方向時計回り側の端部、および周回方向反時計回り側の端部を、第二分割編目列２の側に回し込む。即ち、後針床に係止される編目列の紙面右側と紙面左側を、前針床に回し込む。そして、その回し込みに伴い、新規編目列１２ｓの編目と、第二分割編目列２の編目と、を重ね合わせる。
【００４０】
図６（Ｃ）の操作が終了したら、図６（Ｄ）に示すように、第一分割編目列１と、第二分割編目列２と、の二つの境界が、前針床側に配置された状態になる（白抜き矢印参照）。以降は、新規編目列１２ｓの編成、および新規編目列１２ｓと第二分割編目列２との接続を繰り返せば良い。
【００４１】
上述した第三の編成手順では、第一の編成手順と同様に、新規編目列１２ｓを１〜３段分、編成するごとに、新規編目列１２ｓと第二分割編目列２とを接続するための回し込みを行なっている。そのため、第三の編成手順でも、回し込みに伴う糸切れが生じ難い。また、新規編目列１２ｓの回し込みが左右対称に行なわれるため、編地片１２１に組織柄を形成し易い。
【００４２】
＜変形実施形態＞
第一実施形態では、セーター１００の編成例を説明した。これに対して、第一実施形態に示す編成方法を応用して図７に示すようにカーディガン１０１（筒状編地）を編成することもできる。
【００４３】
図７に示すカーディガン１０１を編成するには、図２（Ａ）において、第一筒部１１の前身頃側の部分が繋がっていない状態とすれば良い。このような状態とするには、例えばＣ字状編成によって第一筒部１１を編成すれば良い。この前身頃側の部分が開いた状態の第一筒部１１に対して、図２（Ｂ）に示す編成を行なえば、図７に示すカーディガン１０１を編成することができる。
【００４４】
＜第二実施形態＞
第一実施形態では、図２（Ｂ）に示すように、編地片１２１の編幅方向の両端部を、第二分割編目列２に接続した。これに対して、編地片１２１の編幅方向の一端部または他端部のいずれか一方のみを第二分割編目列２に接続しても良い。つまり、第一実施形態で説明した条件Ａを満たす編目と条件Ｂを満たす編目との接続、あるいは条件Ｃを満たす編目と条件Ｄを満たす編目との接続、のいずれか一方のみを行なう。
【００４５】
以上説明した第二実施形態の編成方法によれば、着用者の首回りにストール様の第二筒部１２が形成されたセーターを編成することができる。
【００４６】
＜第三実施形態＞
第三実施形態では、図８に基づいて、２つの編地片１２１，１２２からなる第二筒部１２を備えるセーター１０２、およびその編成方法を説明する。図８（Ａ）は、セーター１０２の編成イメージ図、図８（Ｂ）は、セーター１０２の前側概略図、図８（Ｃ）は、セーター１０２の後側概略図である。
【００４７】
図８（Ｂ），（Ｃ）のセーター１０２を編成するには、図８（Ａ）に示すように、第一筒部１１を編成した後、第一筒部１１のウエール方向終端部１１ｅを４つの分割編目列１〜４に分ける。次いで第一分割編目列１のウエール方向に連続して編地片１２１を編成すると共に、第三分割編目列３のウエール方向に連続して編地片１２２を編成する。これら編地片１２１，１２２を編成する際、下記条件Ｅを満たす編目と、下記条件Ｆを満たす編目と、を重ね合わせて接続し、かつ下記条件Ｇを満たす編目と、下記条件Ｈを満たす編目と、を重ね合わせて接続する。なお、図８において、条件Ｅ〜Ｈに対応する位置を、四角で囲った『Ｅ』〜『Ｈ』で示す。
［条件Ｅ］第一分割編目列１に続く新規編目列の編目（編地片１２１の編目）のうち、第二分割編目列２に対して周回方向に近接する編目。
［条件Ｆ］第二分割編目列２の編目のうち、新規編目列（編地片１２１の編目）に対して周回方向に近接する編目。
［条件Ｇ］第三分割編目列３に続く新規編目列の編目（編地片１２２の編目）のうち、第四分割編目列４に対して周回方向に近接する編目。
［条件Ｈ］第四分割編目列４の編目のうち、新規編目列（編地片１２２の編目）に対して周回方向に近接する編目。
【００４８】
さらに、本実施形態では、編地片１２１（１２２）の周回方向時計周り側の端部近傍を第二分割編目列２（第四分割編目列４）に接続するために編地片１２１（１２２）を回し込んだ際、編地片１２１（１２２）の周回方向反時計回り側の端部近傍に掛け目（図中の『Ｖ』印を参照）を形成している。
【００４９】
編地片１２１，１２２の編成が終了したら、編地片１２１（１２２）のウエール方向終端部１２ｅ（１２ｅ）の一部と、編地片１２２（１２１）の周回方向反時計回り側の端部近傍に形成した掛け目と、を接続する。そうすることで、図８（Ｂ），（Ｃ）に示すように、第二筒部１２の右側半分と左側半分とで編目の向きが異なるセーター１０２を無縫製で編成することができる。もちろん、上記掛け目の形成を行なわず、編地片１２１と編地片１２２とを縫製によって接続しても良い。
【００５０】
なお、上述した実施形態の編成を応用し、帽子やボレロなどを編成することもできる。例えば、帽子を編成する場合、第二筒部のウエール方向終端部を伏目処理によって閉じ合わせ、帽子の頭頂部を形成すれば良い。
【符号の説明】
【００５１】
１００，１０２  セーター（筒状編地）
１０１  カーディガン（筒状編地）
１１  第一筒部    １１ｅ  ウエール方向終端部
１２  第二筒部    １２ｄ  ウエール方向始端部  １２ｅ  ウエール方向終端部
１２１，１２２  編地片    １２ｓ  新規編目列
１３  境界部  １４  閉じ部  １５  開口部  １６  開き部
１  第一分割編目列（２ｎ−１番目の分割編目列）
２  第二分割編目列（２ｎ番目の分割編目列）
３  第三分割編目列（２ｎ−１番目の分割編目列）
４  第四分割編目列（２ｎ番目の分割編目列）
【図１】
2014114513.tif 000003
【図２】
2014114513.tif 000004
【図３】
2014114513.tif 000005
【図４】
2014114513.tif 000006
【図５】
2014114513.tif 000007
【図６】
2014114513.tif 000008
【図７】
2014114513.tif 000009
【図８】
2014114513.tif 000010